(57)【要約】【課題】子機接続装置に接続される子機の種別に応じて最適なボリューム値を設定する。【解決手段】本発明のナースコールシステムは、患者によって操作され看護師を呼び出すための呼出ボタン２４、通話を行なうためのスピーカ２１およびマイク２２並びにマイクアンプ２３を有する子機２と、患者ベッドの近傍に設置され子機を接続するための子機接続装置３と、病室入り口に設置され子機接続装置を接続し、マイクアンプからの音声信号の音量を調節するボリューム調節部４２および音声信号を増幅する中間アンプ４１を有する廊下灯４と、廊下灯に接続され患者の呼び出しを報知する呼出用スピーカ１１および通話を行なうための通話装置１４を有する親機１とを備えている。  子機接続装置は、子機の種別を認識し識別信号Ｓ1を出力する認識装置３１を有し、廊下灯は、識別信号に応じて音声信号の音量を廊下灯のボリューム調節部で調節するＣＰＵ４３を備える。【選択図】図１
2006074186.tif 000002
【特許請求の範囲】
【請求項１】
患者によって操作され看護師を呼び出すための呼出ボタン（２４）、通話を行なうためのスピーカ（２１）およびマイク（２２）並びにマイクアンプ（２３）を有する子機（２）と、患者ベッドの近傍に設置され前記子機を接続するための子機接続装置（３）と、前記子機接続装置が接続され病室入り口に設置される廊下灯（４）と、前記廊下灯に接続され前記患者の呼び出しを報知する呼出用スピーカ（１１）および通話を行なうための通話装置（１４）を有する親機（１）とを備え、
前記子機接続装置は、前記子機の種別を認識し識別信号（Ｓ1）を出力する認識装置（３１）を有し、
前記廊下灯は、前記子機の前記マイクアンプからの音声信号の音量を調節するボリューム調節部（４２）と、前記音声信号を増幅する中間アンプ（４１）と、前記識別信号に応じて前記音声信号の音量を前記ボリューム調節部で調節するＣＰＵ（４３）とを備えたことを特徴とするナースコールシステム。
【請求項２】
患者によって操作され看護師を呼び出すための呼出ボタン（２４）、通話を行なうためのスピーカ（２１）およびマイク（２２）並びにマイクアンプ（２３）を有する子機（２）と、患者ベッドの近傍に設置され前記子機を接続するための子機接続装置（３ａ）と、前記子機接続装置が接続され病室入り口に設置される廊下灯（４）と、前記廊下灯に接続され前記患者の呼び出しを報知する呼出用スピーカ（１１）および通話を行なうための通話装置（１４）を有する親機（１）とを備え、
前記子機接続装置は、前記子機の種別を認識し識別信号（Ｓ２）を出力する認識装置（３１）と、前記子機の前記マイクアンプからの音声信号の音量を調節するボリューム調節部（３３）と、前記音声信号を増幅する中間アンプ（３２）と、前記識別信号に応じて前記音声信号の音量を前記ボリューム調節部で調節するＣＰＵ（３４）を備えたことを特徴とするナースコールシステム。
【請求項３】
前記子機の種別に応じて前記ボリュームを最適値に設定するテーブル（３５、４４）を備えたことを特徴とする請求項１又は請求項２記載のナースコールシステム。
【発明の詳細な説明】
【技術分野】
【０００１】
本発明は、ナースコールシステムに係わり、特に親機と子機との通話において、子機のマイクアンプからの音声信号の音量を調節することができるナースコールシステムに関する。
【背景技術】
【０００２】
従来から、この種のナースコールシステムとして、図３に示すような構成のものが知られている（例えば、特許文献１）。
【０００３】
同図において、従来のナースコールシステムは、廊下灯に接続され患者の呼び出しを報知する呼出用スピーカ１１０および通話を行なうための通話用スピーカ１２０と通話用マイク１３０を内蔵する通話装置１４０を有する親機１０と、患者によって操作され看護師を呼び出すための呼出ボタン２４０、通話を行なうためのスピーカ２１０、マイク２２０およびマイクアンプ２３０を有する子機２０と、患者ベッドの近傍に設置され子機を接続するためのプレート等から成る子機接続装置３０と、病室入り口に設置され子機接続装置を接続し、マイクアンプ２３０からの音声信号の音量を調節するボリユーム調節部４２０および音声信号を増幅する中間アンプ４１０を有する廊下灯４０とを備えている。ここで、廊下灯４０は、第１の幹線Ｌ１０を介して親機１０に、第２の幹線Ｌ２０を介して子機接続装置３０に接続され、子機接続装置３０には第３の幹線Ｌ３０を介して子機２０が接続されている。
【０００４】
このような構成のナースコールシステムにおいては、例えば、ある患者が当該患者の患者ベッドに設置された子機（以下「第１の子機」という。）２０の呼出ボタン２４０を押下操作すると、呼出起動信号が第３の幹線Ｌ３０、子機接続装置３０および第２の幹線Ｌ２０を介して廊下灯４０へ送出され、かかる呼出起動信号が廊下灯４０で検出されると、廊下灯４０の呼出表示灯（不図示）が点滅するとともに、廊下灯４０から、当該廊下灯４０に予め割り当てられている部屋番号情報、呼出種別情報およびベッド番号情報を含有する呼出信号が第１の幹線Ｌ１０を介して親機１０へ伝送される。
【０００５】
かかる呼出信号が親機１０で検出されると、親機１０の呼出用スピーカ１１０から呼出音が鳴動され、ここで、患者からの呼び出しを確認したナースステーション内の看護師が、通話装置（ハンドセット）１４０を取り上げて呼出応答すると、第１の幹線Ｌ１０、廊下灯４０、第２の幹線Ｌ２０、子機接続装置３０、第３の幹線Ｌ３０を介して親機１０の通話装置１４０と第１の子機２０の通話装置（スピーカ２１０およびマイク２２０）間に通話路が形成される。
【０００６】
ところで、このような構成のナースコールシステムにおいては、子機接続装置３０に接続される子機の種別、例えば６ピンタイプのトイレ介助／点滴呼出ボタンを有する子機や２ピンタイプの呼気式呼出スイッチを有する子機等によりマイクアンプの増幅度が異なることから、第１の子機をマイクアンプの増幅度が異なる他の子機（以下「第２の子機」という。）に代えた場合、システム全体の増幅度が変わることになる。すなわち、廊下灯４０の中間アンプ４１０の増幅度をα、第１の子機のマイクアンプ２３０の増幅度をβとすると、第１の子機を有するシステム全体の増幅度Aは式１で表すことができる。
【０００７】
A＝α・β・・・・（１）
また、マイクアンプ２３０の増幅度がβの第１の子機をマイクアンプ２３０の増幅度がβ´（β≠β´）の第２の子機に代えた場合、第２の子機を有するシステム全体の増幅度A´は式２で表される。
【０００８】
A´＝α・β´・・・・（２）
従って、第１、第２の子機のそれぞれのマイクアンプ２３０の増幅度が異なれば、子機の種別に応じて音声信号の音量も異なることになる。
【０００９】
【特許文献１】特開２００１−１８６２６６公報  （段落番号「０００９」〜「００１４」、図１）
【発明の開示】
【発明が解決しようとする課題】
【００１０】
一方、このような構成のナースコールシステムにおいては、子機接続装置３０に接続される子機２０の種別を認識することができず、また、廊下灯４０からは中間アンプ４１０により一定のレベルに増幅された音声信号が出力されるため、子機接続装置３０に接続される子機２０の種別によっては最適な音量にならないという難点がある。さらに、例えば患者がベッドを移動することにより、子機接続装置３０に接続される子機２０の種別が変わった場合、患者が子機の音量を最適な値に設定し直さなければならないという難点があった。
【００１１】
本発明は、このような難点を解決するためになされたもので、子機接続装置に接続される子機の種別に応じて最適なボリューム値を設定することができるナースコールシステムを提供することを目的としている。
【課題を解決するための手段】
【００１２】
このような目的を達成するため、本発明の第１の態様であるナースコールシステムは、患者によって操作され看護師を呼び出すための呼出ボタン、通話を行なうためのスピーカおよびマイク並びにマイクアンプを有する子機と、患者ベッドの近傍に設置され子機を接続するための子機接続装置と、子機接続装置が接続され病室入り口に設置される廊下灯と、廊下灯に接続され患者の呼び出しを報知する呼出用スピーカおよび通話を行なうための通話装置を有する親機とを備え、子機接続装置は、子機の種別を認識し識別信号を出力する認識装置を有し、記廊下灯は、子機のマイクアンプからの音声信号の音量を調節するボリューム調節部と、音声信号を増幅する中間アンプと、識別信号に応じて音声信号の音量をボリューム調節部で調節するＣＰＵとを備えた備えたものである。
【００１３】
本発明の第２の態様であるナースコールシステムは、患者によって操作され看護師を呼び出すための呼出ボタン、通話を行なうためのスピーカおよびマイク並びにマイクアンプを有する子機と、患者ベッドの近傍に設置され子機を接続するための子機接続装置と、子機接続装置が接続され病室入り口に設置される廊下灯と、廊下灯に接続され前記患者の呼び出しを報知する呼出用スピーカおよび通話を行なうための通話装置を有する親機とを備え、子機接続装置は、子機の種別を認識し識別信号を出力する認識装置と、子機のマイクアンプからの音声信号の音量を調節するボリューム調節部と、音声信号を増幅する中間アンプと、識別信号に応じて音声信号の音量をボリューム調節部で調節するＣＰＵを備えたものである。
【００１４】
本発明の第３の態様は、第１の態様または第２の態様であるナースコールシステムにおいて、子機の種別に応じてボリュームを最適値に設定するテーブルを備えたものである。
【発明の効果】
【００１５】
本発明の第１の態様乃至第３の態様のナースコールシステムによれば、子機接続装置に接続される子機の種別を認識することができることから、子機の種別に応じて最適なボリューム値を設定でき、ひいては患者が音量を設定する手間を省くことができ、また、患者のベッド移動により子機の種別が変わっても、子機の種別に応じて最適なボリューム値が自動的に設定されることから、患者が改めてボリュームを設定する手間を省くことができる。
【発明を実施するための最良の形態】
【００１６】
以下、本発明のナースコールシステムを適用した好ましい実施の形態例について、図面を参照して詳述する。
［実施例１］
図１は、本発明の第１の実施例におけるナースコールシステムのシステム構成図を示している。同図において、本発明のナースコールシステムは、ナースステーション内に設置される親機１と、病室内の患者ベッドの近傍に設置される子機２と、患者ベッドの近傍に設置され子機を接続するための子機接続装置３と、病室の入口付近に設けられる廊下灯４とを備えている。ここで、廊下灯４は、第１の幹線Ｌ１を介して親機１に、第２の幹線Ｌ２を介して子機接続装置３に接続され、子機接続装置３には、第３の幹線Ｌ３を介して子機２が接続されている。
【００１７】
親機１は、患者の呼び出しを報知する呼出用スピーカ１１および通話を行なうための通話用スピーカ１２と通話用マイク１３を内蔵する通話装置１４を備え、子機２は、患者によって操作され看護師を呼び出すための呼出ボタン２４、通話を行なうためのスピーカ２１およびマイク２２並びにマイクアンプ２３を備え、子機接続装置３１は、子機の種別を認識し識別信号（以下「第１の識別信号」という。）Ｓ1を出力する認識装置３１を備えている。
【００１８】
廊下灯４は、音声信号を増幅する中間アンプ（以下「廊下灯中間アンプ」という。）４１と、マイクアンプ２３からの音声信号の音量を調節するボリューム調節部（以下「廊下灯ボリューム調節部」という。）４２と、第１の識別信号Ｓ１に応じて音声信号の音量を廊下灯ボリユーム調節部４２で調節するＣＰＵ（以下「廊下灯ＣＰＵ」という。）４３と、子機の種別に応じてボリュームを最適値に設定するテーブル（以下「廊下灯テーブル」という。）４４と、親機１と接続するための親機インターフェース（以下「Ｉ／Ｆ」という。）４５と、子機接続装置３と接続するための子機接続装置Ｉ／Ｆ４６とを備えている。ここで、廊下灯ＣＰＵ４３は、廊下灯ボリユーム調節部４２、廊下灯テーブル４４および子機接続装置Ｉ／Ｆ４６に接続され、廊下灯ボリユーム調節部４２には廊下灯中間アンプ４１を介して親機Ｉ／Ｆ４５が接続されている。また、子機接続装置Ｉ／Ｆ４６には第２の幹線Ｌ２を介して子機接続装置３が接続され、親機Ｉ／Ｆ４５には第１の幹線Ｌ１を介して親機１が接続されている。
【００１９】
次に、このように構成されたナースコールシステムの動作について説明する。なお、（１）ある患者が当該患者の患者ベッドに設置された子機（以下「第１の子機」という。）２の呼出ボタン２４を押下操作すると、呼出起動信号が第３の幹線Ｌ３、子機接続装置３および第２の幹線Ｌ２を介して廊下灯４へ送出され、かかる呼出起動信号が廊下灯４で検出されると、廊下灯４の呼出表示灯（不図示）が点滅するとともに、廊下灯４から、当該廊下灯４に予め割り当てられている部屋番号情報、呼出種別情報およびベッド番号情報を含有する呼出信号が第１の幹線Ｌ１を介して親機１へ伝送される点、（２）かかる呼出信号が親機１で検出されると、親機１の呼出用スピーカ１１から呼出音が報知され、ここで、患者からの呼び出しを確認したナースステーション内の看護師が、通話装置（ハンドセット）１４を取り上げて呼出応答すると、第１の幹線Ｌ１、廊下灯４、第２の幹線Ｌ２、子機接続装置３、第３の幹線Ｌ３を介して親機１の通話装置１４と第１の子機２の通話装置（スピーカ２１およびマイク２２）間に通話路が形成される点は、従来のナースコールシステムと同様であることから詳細な説明を省略し、ここでは、マイクアンプ２３からの音声信号の音量を調節する動作を中心に説明する。
【００２０】
例えば、第１の子機２が第３の幹線Ｌ３を介して子機接続装置３に接続されると、第１の子機２から接続信号（以下「第１の接続信号」という。）が第３の幹線Ｌ３を介して子機接続装置３へ送出され、かかる第１の接続信号が認識装置３１で検出されると、第１の子機２の種別を認識する認識装置３１が作動し、子機接続装置３から第１の識別信号Ｓ１が第２の幹線Ｌ２を介して子機接続装置ｉ／Ｆ４６へ送出される。
【００２１】
かかる第１の識別信号Ｓ１が廊下灯４の廊下灯ＣＰＵ４３で検出されると、廊下灯テーブル４４が参照され、廊下灯ＣＰＵ４３からマイクアンプ２３からの音声信号の音量を最適なボリューム値に設定する信号（以下「第１のボリューム設定信号」という。）が廊下灯ボリユーム調節部４２へ送出される。
【００２２】
ここで、システム全体の増幅度Ａはα・βで表されるが、いま、この増幅度Ａをシステム全体の最適な増幅度とすると、子機接続装置３に増幅度β´（β≠β´）のマイクアンプ２３を有する第１の子機２が接続された場合には、次のようにしてマイクアンプ２３からの音声信号の音量を最適なボリューム値に設定することができる。すなわち、子機接続装置３に第１の子機２が接続されると、システム全体の増幅度はα´・β´となることから、このシステムを最適なシステムにするにはＡ＝α´・β´とし、この式からα´を求めることで廊下灯ボリューム調節部４２において最適なボリューム値を設定することができる。
［実施例２］
図２は、本発明の第２の実施例におけるナースコールシステムのシステム構成図を示している。なお、同図において、図１と共通する部分には同一の符号を付して詳細な説明を省略する。
【００２３】
この実施例においては、図１に示す廊下灯４に代えて従来構成の廊下灯４ａが使用され、この廊下灯４ａに後述する子機接続装置３ａが接続されている。
【００２４】
子機接続装置３ａは、子機の種別を認識し識別信号（以下「第２の識別信号」という。）Ｓ２を出力する認識装置３１と、音声信号を増幅する中間アンプ（以下「子機接続装置中間アンプ」という。）３２と、マイクアンプからの音声信号の音量を調節するボリユーム調節部（以下「子機接続装置ボリユーム調節部」という。）３３と、第２の識別信号に応じて音声信号の音量を子機接続装置ボリユーム調節部３３で調節するＣＰＵ（以下「子機接続装置ＣＰＵ」という。）３４と、子機の種別に応じてボリュームを最適値に設定するテーブル（以下「子機接続装置テーブル」という。）３５と、廊下灯４ａと接続するための廊下灯Ｉ／Ｆ３６と、子機２と接続するための子機Ｉ／Ｆ３７とを備えている。ここで、子機接続装置ＣＰＵ３４は、認識装置３１、子機接続装置ボリユーム調節部３３および子機接続装置テーブル３５に接続され、子機接続装置ボリユーム調節部３３には子機接続装置中間アンプ３２を介して廊下灯Ｉ／Ｆ３６が接続されている。また、子機Ｉ／Ｆ３７には第３の幹線Ｌ３を介して子機２が接続され、廊下灯Ｉ／Ｆ３６には第２の幹線Ｌ２を介して廊下灯４ａが接続されている。
【００２５】
このような構成のナースコールシステムにおいて、第１の子機２が第３の幹線Ｌ３を介して子機接続装置３ａに接続されると、第１の子機２から接続信号（以下「第２の接続信号」という。）が第３の幹線Ｌ３および子機Ｉ／Ｆ３７を介して認識装置３１へ送出され、かかる第２の接続信号が認識装置３１で検出されると、第１の子機２の種別を認識する認識装置３１が作動し、認識装置３１から第２の識別信号Ｓ２が子機接続装置ＣＰＵ３４へ送出される。かかる第２の識別信号Ｓ２が子機接続装置ＣＰＵ３４で検出されると、子機接続装置テーブル３５が参照され、子機接続装置ＣＰＵ３４から前述と同様にしてマイクアンプ２３からの音声信号の音量を最適なボリューム値に設定する信号（以下「第２のボリューム設定信号」という。）が子機接続装置ボリユーム調節部３３へ送出され、この子機接続装置ボリユーム調節部３３においてマイクアンプ２３からの音声信号の音量が最適な値に設定される。
【産業上の利用可能性】
【００２６】
本発明は、特許請求の範囲内で、次のように、変更、修正を加えることができる。
【００２７】
第１に、前述の実施例においては、廊下灯、子機接続装置および子機の台数がそれぞれ１台の場合について説明しているが、これらの廊下灯、子機接続装置および子機の台数は、それぞれシステムの規模に応じて増加することができる。
【００２８】
第２に、前述の実施例では、ボリュームを最適値に設定するテーブルが廊下灯または子機接続装置に搭載されているが、親機や図示しない制御機に搭載させてもよい。
【図面の簡単な説明】
【００２９】
【図１】本発明の第１の実施例におけるナースコールシステムのシステム構成図。
【図２】本発明の第２の実施例におけるナースコールシステムのシステム構成図。
【図３】従来のナースコールシステムのシステム構成図。
【符号の説明】
【００３０】
１・・・親機
１１・・・呼出用スピーカ
１４・・・通話装置
２・・・子機
２１・・・スピーカ
２２・・・マイク
２３・・・マイクアンプ
２４・・・呼出ボタン
３、３ａ・・・子機接続装置
３１・・・認識装置
３２・・・中間アンプ
３３・・・ボリューム調節部
３４・・・ＣＰＵ
３５・・・テーブル
４・・・廊下灯
４１・・・中間アンプ
４２・・・ボリューム調節部
４３・・・ＣＰＵ
４４・・・テーブル
Ｓ1、Ｓ２・・・識別信号
【図１】
2006074186.tif 000003
【図２】
2006074186.tif 000004
【図３】
2006074186.tif 000005